(57)【要約】【課題】複数のボウルおよびザルを重ね置き可能にし、これらの重ね置き可能な各一のボウルやザルごとに、および重ね置きしたボウルおよびザルの全部に共通に、一つの蓋を位置ずれなく装着可能にする。【解決手段】ボウル１１およびザル１２はそれぞれの開口部周縁にフランジ１１ａ、１２ａを有し、積み重ねられた下部の前記ボウル１１またはザル１２のフランジ１１ａ、１１ｂ上に、該フランジ径より径小の上部のボウル１１またはザル１２のフランジ１１ａ、１１ｂが複数段に亘って順次載置され、最上部に重ねられる前記ボウル１１またはザル１２の開口部を被う蓋１４には、積み重ねられた全部または一部の前記ボウル１１およびザル１２のフランジ１１ａ、１２ａに適合する段部が複数段に亘って設けられている。【選択図】図３
2012143410.tif 000002
【特許請求の範囲】
【請求項１】
サイズが異なるボウルおよびザルを大きいものから小さなものへ順次積み重ねて組み込んだザル付きボウルユニットであって、前記ボウルおよびザルはそれぞれの開口部周縁にフランジを有し、それぞれのフランジに適合する段部が複数段に亘って設けられた蓋を備えることを特徴とするザル付きボウルユニット。
【請求項２】
サイズが異なるボウルおよびザルを大きいものから小さなものへ順次積み重ねて組み込んだザル付きボウルユニットであって、前記ボウルおよびザルはそれぞれの開口部周縁にフランジを有し、前記ボウルのフランジ上に、該フランジ径より径小の前記ザルのフランジが載置され、かつ、このザルのフランジ内径未満のフランジ径を有する前記ボウルが前記ザル上に載置するように積み重ねられることを特徴とするザル付きボウルユニット。
【請求項３】
サイズが異なるボウルおよびザルを大きいものから小さなものへ順次積み重ねて組み込んだザル付きボウルユニットであって、前記ボウルおよびザルはそれぞれの開口部周縁にフランジを有し、積み重ねられた下部の前記ザルまたはボウルのフランジ上に、該フランジ径より径小の上部のザルまたはボウルのフランジが複数段に亘って順次載置され、最上部に重ねられる前記ザルまたはボウルの開口部を被う蓋には、積み重ねられた全部または一部の前記ボウルおよびザルのフランジに適合する段部が複数段に亘って設けられていることを特徴とするザル付きボウルユニット。
【請求項４】
前記ボウルが、ホウケイ酸ガラスで形成されていることを特徴とする請求項１〜３のいずれか、に記載のザル付きボウルユニット。
【発明の詳細な説明】
【技術分野】
【０００１】
本発明は、サイズが異なるボウルおよびザルを大きいものから小さなものへ順次積み重ねて組み込んだザル付きボウルユニットに関するものである。
【背景技術】
【０００２】
従来から、炊飯前に米を研ぐ場合において、研ぎ汁のみを容器外に捨てる際に、その容器の開口部の一部をザルで被って、そのザルの編目から研ぎ汁のみを排出する手法が提案されている（例えば、特許文献１、２参照）。また、前記米研ぎに使用される容器にはボウルが一般に使用され、このボウルとザルが一組の米研ぎ用のザル付きボウルユニットとしてとして市販され、一般家庭で使用されている。このザル付きボウルユニットは、その取り扱いの容易化や設置空間確保の理由から、ボウルとザルが互いに重ね合わされてコンパクトに纏められ、重ね置きされる。
【０００３】
ところで、かかるザル付きボウルユニットは、米研ぎや調理食材の水切り等に使用され、一般家庭では前記米研ぎ用など、種々の用途に応じて異なるサイズや形状のものが複数組備えられている。このためその複数組のザル付きボウルを設置や保存するために所定広さの設置空間必要になる。
【０００４】
一方、今日では、ザルを利用してこのザルに入れた食品等を電子レンジでスチーム加熱することが行われている。この電子レンジによる食品等のスチーム加熱では、スチーム加熱効果を高めるために、その食品を入れたザルの開口部に蓋が被せられる。なお、調理時以外でも、ザルに入れた食品への塵や埃の付着やハエなどの害虫が食品にとまるのを回避する場合にも、ザルの開口部に蓋が被せられる。
【０００５】
この場合には、前記ザルやボウルごとにこれらに適合（嵌合）するサイズの蓋を、別途買い求める必要があり、このためその複数組のザル付きボウルとともに蓋を設置や保存するために、さらに広い空間（設置や収納のためのもの）が用意される。
【先行技術文献】
【特許文献】
【０００６】
【特許文献１】特開２０００−９１３３３０号公報
【特許文献２】特開２００１−０２９２４４号公報
【発明の概要】
【発明が解決しようとする課題】
【０００７】
しかしながら、使用目的に応じて用意されるボウルやザルのサイズごとに個別に蓋を用意することは不経済であり、厨房などにおいてその蓋を設置、収納する空間を確保することがさらに困難になるほか、設置や収納空間以外に調理台を含む作業空間を手狭にし、調理の作業効率を悪化するという不都合があった。
【０００８】
本発明は上述した従来の問題点に着目してなされたものであり、その目的とするところは、複数のボウルおよびザルを重ね置き可能にし、重ね置きされる各一のボウルやザルを取り出して個別的に、および重ね置きしたボウルおよびザルの全部に対して、一つの蓋を位置ずれなく被せて調理や収納のそれぞれに使用できるザル付きボウルユニットを提供することにある。
【課題を解決するための手段】
【０００９】
前述した目的を達成するために、本発明にかかるザル付きボウルユニットは、サイズが異なるボウルおよびザルを大きいものから小さなものへ順次積み重ねて組み込んだザル付きボウルユニットであって、前記ボウルおよびザルはそれぞれの開口部周縁にフランジを有し、それぞれのフランジに適合する段部が複数段に亘って設けられた蓋を備えることを特徴とする。
【００１０】
この構成により、重ね置きされた複数のボウルおよびザルに被せられる一つの蓋は、この蓋に設けられた複数の段部を、重ねられたボウルおよびザルの各フランジに係合するように被うため、サイズが異なるボウルやザルごとに蓋を個別に用意する必要がなくなり、蓋および複数のボウル、複数のザルの設置や収納のための占有空間を抑制することができ、棚などにおける設置空間の確保に困難をきたすこともなくなる。また、調理時において調理台を含む作業空間が確保し易くなり、調理の作業効率を改善できる。
【００１１】
また、本発明にかかるザル付きボウルユニットは、サイズが異なるボウルおよびザルを大きいものから小さなものへ順次積み重ねて組み込んだザル付きボウルユニットであって、前記ボウルおよびザルはそれぞれの開口部周縁にフランジを有し、前記ボウルのフランジ上に、該フランジ径より径小の前記ザルのフランジが載置され、かつ、このザルのフランジ内径未満のフランジ径を有する前記ボウルが前記ザル上に載置するように積み重ねられることを特徴とする。
【００１２】
この構成により、前記ザルのフランジ部の高さと、そのザルのフランジ内径未満のボウルのフランジとを略同一レベルまたはそれ以下の高さに抑えることができ、これにより積み重ねられたボウルおよびザルの嵩高、並びにボウルユニット全体および蓋自体の高さ（厚み）を共に低めに抑制でき、収納棚等における占有空間を低減することができる。
【００１３】
また、本発明にかかるザル付きボウルユニットは、サイズが異なるボウルおよびザルを大きいものから小さなものへ順次積み重ねて組み込んだザル付きボウルユニットであって、前記ボウルおよびザルはそれぞれの開口部周縁にフランジを有し、積み重ねられた下部の前記ザルまたはボウルのフランジ上に、該フランジ径より径小の上部のザルまたはボウルのフランジが複数段に亘って順次載置され、最上部に重ねられる前記ザルまたはボウルの開口部を被う蓋には、積み重ねられた全部または一部の前記ボウルおよびザルのフランジに適合する段部が複数段に亘って設けられていることを特徴とする。
【００１４】
この構成により、重ね置きされた複数のボウルおよびザルに被せられる一つの蓋は、この蓋に設けられた複数の段部のいずれかを、重ねられたボウルおよびザルの各フランジに係合させるように被うため、調理をする場合などに重ね置きされた前記ボウルやザルの中から選択したいずれかのボウルやザルのフランジに対しても、前記蓋を係合可能に被せることができる。このため、サイズが異なるボウルやザルごとに蓋を個別に用意する必要がなくなり、一つの蓋を全てのボウルやザルに選択的に被せることで、ボウルやザルに収納した食品の例えばスチーム加熱などによる調理を実施できる。また、蓋の設置や収納のための空間確保に困難をきたすこともなくなり、調理台を含む作業空間を確保し易くなり、調理の作業効率を改善できる。
【００１５】
また、本発明にかかるザル付きボウルユニットは、前記ボウルがホウケイ酸ガラスで形成されていることを特徴とする。
【００１６】
この構成により、ボウル内に収納した食品の電子レンジ等による加熱調理など、高温の加熱調理への利用も可能になる。
【発明の効果】
【００１７】
本発明によれば、サイズが異なる複数のボウルおよびザルを重ね合わせてコンパクト化し、これらの重ね合わせたボウルやザルに対し一つの蓋を位置ずれなく被せることができるともに、前記ボウルやザルの一つ一つに対しても前記蓋を位置ずれなく被せることができる。従って、調理対象の食品のサイズ、容量等に応じたボウルやザルを選んでその食品を収納し、例えば食品を収納したザルに蓋を被せて電子レンジによるスチーム加熱や冷蔵庫内への貯蔵などが可能になる。また、ボウルおよびザルの前記コンパクト化によって、これらの取り扱いや収納、保存の空間を確保し易くなる。さらに、ボウルは耐熱ガラス（ホウケイ酸ガラス）からなり、これに蓋を被せてボウル内に収納した食品の電子レンジによる加熱調理など、通常の使用も可能である。
【００１８】
以上、本発明について簡潔に説明した。更に、以下に説明される発明を実施するための最良の形態を添付の図面を参照して詳細に説明する。
【図面の簡単な説明】
【００１９】
【図１】本発明の実施形態によるザル付きボウルユニットのボウルを示す斜視図である。
【図２】本発明の実施形態によるザル付きボウルユニットのザルを示す斜視図である。
【図３】本発明の実施形態によるザル付きボウルユニットを示す縦断面図である。
【図４】図３に示すザル付きボウルユニットの要部の拡大断面図である。
【図５】図１に示すザル付きユニットの正面図である。
【図６】図５に示すザル付きユニットの平面図である。
【図７】本発明の他の実施形態によるザル付きボウルユニットを一部破断して示す正面図である。
【図８】図7に示す蓋を各ボウルに被せた状態を一部破断して示す正面図である。
【発明を実施するための形態】
【００２０】
以下、本発明にかかるザル付きボウルユニットの実施形態を、図面を参照して説明する。本発明の実施形態によるザル付きボウルユニットは、サイズが異なるボウルおよびザルを大きいものから小さなものへ順次積み重ねて組み込んだ構成である。このザル付きボウルユニットは、前記ボウルおよびザルがそれぞれの開口部周縁にフランジを有し、積み重ねられた下部の前記ザルまたはボウルのフランジ上に、該フランジ径より径小の上部のザルまたはボウルのフランジが複数段に亘って順次載置され、最上部に重ねられる前記ザルまたはボウルの開口部を被う蓋には、積み重ねられた全部または一部の前記ボウルおよびザルのフランジに適合する段部が複数段に亘って設けられている。
【００２１】
前記構成のザル付きボウルユニットの実施例を、図１〜図６を参照しながら具体的に説明する。このザル付きボウルユニットＡは、ボウルとザルを重ねて蓋を被せたものからなる。これらのうちボウル１１は、透明のガラス容器であり、例えば耐熱ガラス（ホウケイ酸ガラス製）から作られている。このガラス容器のサイズ、形状および厚みは容器としての取り扱い易さや重さを考慮して設計される。このボウル１１は、図１に示すように全体として椀状をなし、上部開口縁には所定幅のフランジ（鍔部）１１ａが略水平方向に突設されている。
【００２２】
また、前記フランジ１１ａは、ボウル１１の底部１１ｂと同様に、他部に比べて肉厚に形成されており、調理時に受ける通常の衝撃や振動を受けても容易に破損することはない。また、底部１１ｂの下面には、このボウル１１の全体をテーブル上に水平に支持するための糸尻部１１ｃが突設されている。
【００２３】
一方、ザル１２は合成樹脂によって椀状に形成され、図２に示すように、上部開口縁にフランジ１２ａが所定幅に亘って略水平方向に突設されている。このザル１２は底部１２ｂとともに略同一の肉厚に形成され、その底部１２ｂの下面にはリング状の底部支持環１２ｄが下方に向けて突設されている。この底部支持環１２ｄは、これを載置するテーブル等から底部１２ｂを所定高さに水平支持するように機能し、後述のように底部１２ｂの水切り孔での水切りを可能にしている。
【００２４】
また、このザル１２のフランジ１２ａより下部の湾曲部１２ｃおよび前記底部１２ｂには、前記の多数の水切り孔１３が整列するように配置されている。これらの水切り孔１３の形状およびサイズはこのザル１２の用途によって決められており、湾曲部１２ｃには、複数の縦長の長孔１３ａが円周方向に横一列で、これが上下方向に３列（３段）設けられている。底部１２ｂには多数の丸孔１３ｂがランダムに配置されている。これらの丸孔１３ｂのサイズや形状は、このザルの用途に応じて決められる。例えば、食品を電子レンジでスチーム加熱する用途等に応じた孔径とされる。また、このザル１２は、電子レンジでのスチーム加熱を可能にするために、耐熱性の合成樹脂によって作られる。上記では、湾曲部１２ｃに長孔１３ａ、底部１２ｂに丸孔１３ｂを形成するものを示したが、湾曲部１２ｃおよび底部１２ｂには、長孔１３ａや丸孔１３ｂのいずれも使用することができる。従って、水切り孔１３の組み合わせとしては、４パターン形成することが可能である。
【００２５】
本発明のザル付きボウルユニットＡは、図１に示したボウル１１と図２に示したザル１２と複数個ずつ用意し、これらの大きいものから小さなものへと順次入れ子状に重ね合わせたものであり、最上部のボウル１１Ｃの開口部を塞ぐように、またボウル１１Ａ〜１１Ｃおよびザル１２Ａ、１２Ｂの各フランジ１１ａ、１２ａを纏めて被うように後述の蓋１４が被せられる。本実施例では、サイズが異なる３個のボウル１１Ａ、１１Ｂ、１１Ｃと２個のザル１２Ａ、１２Ｂを、図３に示すように、入れ子状に重ね合わせたものを示している。この図３において、図１および図２に示したものと同一または対応する構成部分には、同一符号を付してある。
【００２６】
前記ボウル１１Ａ〜１１Ｃどうしおよびザル１２Ａ、１２Ｂどうしは、それぞれ略相似の形態をなすが、それぞれのサイズが順次大から小に変化している。これらを大きいものから小さいものに順次積み重ねることによって、ボウル１１Ａ〜１１Ｃおよびザル１２Ａ、１２Ｂは図示のように入れ子状の構造になる。ここでは、ボウル１１Ａ〜１１Ｃ間にザル１２Ａ，１２Ｂが交互に介在された場合を示しているが、その順序に特別の制約はない。しかし、ボウル１１Ａ〜１１Ｃおよびザル１２Ａ、１２Ｂはそれぞれが大きいものから小さいものへ順に積み重ねることを可能にするという、サイズおよび形状上の制約はある。
【００２７】
前記のように、入れ子状に積み重ねられたボウル１１Ａ〜１１Ｃおよびザル１２Ａ，１２Ｂでは、最も外側のボウル１１Ａ内にその次に小さいサイズのザル１２Ａが重ねられ、さらにこのザル１２Ａ上にボウル１１Ｂ、ザル１２Ｂ、ボウル１１Ｃが順に積み重ねられる。このとき各ボウル１１Ａ〜１１Ｃの各フランジ１１ａおよびザル１２Ａ、１２Ｂの各フランジ１２ａは、前記ボウル１１Ａ〜１１Ｃおよびザル１２Ａ，１２Ｂが重ねられた順に、図示のように重ね合わされる。
【００２８】
この場合において、ボウル１１Ａおよびザル１２Ａのフランジ１１ａ、１２ａの外径寸法は略等しく、ボウル１１Ｂおよびザル１２Ｂのフランジ１１ａ、１２ａの外径も略等しい。そして、ボウル１１Ａおよびザル１２Ａのフランジ１１ａ、１２ａ外径寸法に対してボウル１１Ｂおよびザル１２Ｂフランジ１１ａ、１２ａの外径寸法が、所定長さＬ1分だけこれらの中心方向にオフセットしている。また、ボウル１１Ｂおよびザル１２Ｂのフランジ１１ａ、１２ａの外径寸法に対してボウル１１Ｃのフランジ１１ａの外径はさらに所定長さＬ２分だけこれらの中心方向にオフセットしている。従って、これらのボウル１１Ａ〜１１Ｃおよびザル１２Ａ、１２Ｂからなるザル付きボウルユニットＡの各フランジ１１ａ、１２ａの外周辺部が３段に亘って階段状に高さが変化する。
【００２９】
ボウル１１Ａ〜１１Ｃおよびザル１２Ａ，１２Ｂのフランジ１１ａ、１２ａは互いに下位にあるものが上位にあるものを順次支承することになる。従って、これらの重ね合わせ状態において、ボウル１１Ａ〜１１Ｃの糸尻部１１ｃおよびザル１２Ａ、１２Ｂの底支持環部１２ｄは、互いに対向するザル１２Ａ、１２Ｂやボウル１１Ａ〜１１Ｃの底部１１ｂ上面に必ずしも接することを要しない。
【００３０】
また、前述のように積み重ねられたボウル１１Ａ〜１１Ｃおよびザル１２Ａ，１２Ｂには蓋１４が被着されている。この蓋１４はプロピレンなどの合成樹脂によって全体に薄肉に成形されている。また、この蓋１４は円板部１４ａと、この円板部１４ａの周辺部に下方に向かって２段に屈曲された段状部１４ｂ、１４ｃおよび係止片１４ｄが順に連設されている。段状部１４ｂは、図４に示すように、前記円板部１４ａの周辺から垂下する第１嵌合片ｐおよび水平片ｑからなり、段状部１４ｃはその水平片ｑの周辺から垂下する第２嵌合片ｒおよび水平片ｓからなる。この水平片ｓの周辺部は前記係止片１４ｄに連続している。
【００３１】
そして、前記蓋１４を、図３に示すように、ボウル１１Ａ〜１１Ｃおよびザル１２Ａ、１２Ｂに被せたとき、第１嵌合片ｐはボウル１１Ｃのフランジ１１ａの周面を所定間隙をおいて囲み、第２嵌合片ｒはボウル１１Ｂおよびザル１２Ｂの各周面を所定間隙をおいて囲み、係止片１４ｄはボウル１１Ａおよびザル１２Ａの各周面を所定間隙をおいて囲む。つまり、一つの蓋１４は、積み重ねられたボウル１１Ａ〜１１Ｃおよびザル１２Ａ，１２Ｂのフランジ１１ａ、１２ａに対し、前記段状部１４ｂ、１４ｃと係止片１４ｄを緩やかに嵌合させる。同様にして、前記第１、第２の嵌合片ｐ、ｒおよび係止片１４ｄは、いずれのボウル１１Ａ〜１１Ｃおよびザル１２Ａ、１２Ｂのフランジ１１ａ、１２ａに対しても、これらを個別に囲むように緩やかに嵌合可能となる。このため、前記ボウル１１Ａ〜１１Ｃの中から選んだものに食品を収納し、これらの開口部に蓋１４を被せることで、これを電子レンジに入れて加熱調理することができ、或いは冷蔵庫に入れて食品を冷蔵または保存することができる。
【００３２】
一方、前記ザル１２Ａ、１２Ｂの中から選んだものに食品を収納し、これらの開口部に前記蓋１４を被せ、電子レンジに入れることによって、前記ザル１２Ａ、１２Ｂ内の食品をスチーム加熱処理することができる。また、食品を入れたザル１２Ａ、１２Ｂに前記蓋１４を被せて冷蔵庫内に収納することで、食品の冷蔵および保存をすることができる。
【００３３】
このように、本実施例では一つの蓋１４を、重ね合わせた５個のボウル１１Ａ〜１１Ｃおよびザル１２Ａ、１２Ｂの全体および一つ一つに対し、位置ずれしないように被せることができる。従って、従来のように、ボウルやザルのサイズごとに異なった特定サイズの蓋を用意するという不経済性を回避することができる。なお、蓋１４の裏面に脱気用の溝を設けることで、ボウル１１Ａ〜１１Ｃが負圧に引かれるような場合があっても、開蓋操作をスムースかつ軽快に行うことができる。
【００３４】
なお、前記実施例では、蓋１４に形成する段部１４ｂ、１４ｃが２段である場合について述べたが、積み重ねるボウル１１およびザル１２の数に応じて３段以上とすることは任意である。また、ボウル１１を合成樹脂やステンレスなどの金属素材から構成したり、ザル１２を金網や竹材の編組物から構成したりすることも任意である。
【００３５】
以上のように、本実施の形態のザル付きボウルは、サイズが異なるボウル１１およびザル１２を大きいものから小さなものへ順次積み重ねて組み込んだザル付きボウルユニットであって、前記ボウル１１およびザル１２はそれぞれの開口部周縁にフランジ１１ａ、１２ａを有し、それぞれのフランジ１１ａ、１２ａに適合する段部１４ｂ、１４ｃが複数段に亘って設けられた蓋１４を備える構成である。
【００３６】
従って、重ね置きされた複数のボウル１１およびザル１２に被せられる一つの蓋１４は、この蓋１４に設けられた複数の段部１４ｂ、１４ｃを、重ねられたボウル１１およびザル１２の各フランジ１１ａ、１１ｂに係合するように被うため、サイズが異なるボウル１１やザル１２ごとに蓋１４を個別に用意する必要がなくなり、蓋１４および複数のボウル１２、複数のザル１２の設置や収納のための占有空間を少なめに抑制することができ、棚などにおける設置空間の確保に困難をきたすこともなくなる。また、調理時において調理台を含む作業空間が確保し易くなり、調理の作業効率を改善できる。
【００３７】
なお、前記においては、図３に示すように、ボウル１１Ａ〜１１Ｃのフランジ１１ａおよびザル１２Ａ、１２Ｂのフランジ１２ａが、順次密接するように重ねられた状態で蓋１４を被せた場合を示した。しかし、ザル１２Ａ、１２Ｂの成形上の都合や使用による変歪、熱変形等により、ボウル１１Ａ〜１１Ｃとザル１２Ａ、１２Ｂとの密な重ね合わせが困難になることが考えられる。また、図３ではボウル１１Ａ〜１１Ｃのフランジ１１ａおよびザル１２Ａ、１２Ｂのフランジ１２ａの全てが重なり合うために、ボウルユニット全体が嵩高になり、収納や設置に不都合が生じる場合がある。このため、実際には、図７に示すように、ボウル１１Ａのフランジ１１ａとザル１２Ａのフランジ１２ａ、およびボウル１１Ｂのフランジ１１ａとザル１２Ｂのフランジ１２ａのみが重なる構成が採用される。
【００３８】
この場合には、前記ボウル１１Ａ〜１１Ｃおよびザル１２Ａ、１２Ｂはそれぞれの開口部周縁にフランジ１１ａ、１２ａを有し、前記ボウル１１Ａのフランジ１１ａ上に、該フランジ１１ａの径より径小のザル１２Ａのフランジ１２ａが載置され、かつ、このザル１２Ａにおけるフランジ１２ａの内径未満のフランジ径を有するボウル１１Ｂが前記ザル１２Ａ上に載置するように積み重ねられる。
【００３９】
この場合においても、図７に示すように、蓋１４の円板部１４ａの周辺、段状部１４ｂ、１４ｃが、それぞれボウル１１Ｃのフランジ１１ａ、ザル１２Ｂのフランジ１２ａ、ザル１２Ａのフランジ１２ａに同時に載置される。つまり、重ね合わせた３つのボウル１１Ａ  〜１１Ｃと２つのザル１２Ａ、１２Ｂに対し一つの蓋１４を位置ずれしないように被せることができる。また、ザル１２Ａのフランジ部１２ａの高さと、そのザル１２Ａにおけるフランジ１２ａの内径未満のボウル１１Ｂのフランジ１１ａとを略同一レベルまたはそれ以下の高さに抑えることができる。従って、積み重ねられたボウル１１Ａ〜１１Ｃおよびザル１２Ａ、１２Ｂの嵩高、並びにボウルユニット全体および蓋自体の高さ（厚み）を共に低めに抑制でき、収納棚等における占有空間を低減することができる。
【００４０】
一方、前記３つのボウル１１Ａ〜１１Ｃと２つのザル１２Ａ、１２Ｂが分離された状態でも、第１嵌合片ｐ、第２嵌合片ｒ、係止片１４ｄの内径は、それぞれフランジ１１ａ、１２ａの外径よりも僅か大きいサイズとされることで、図８（ａ）に示すように、ボウル１１Ａのフランジ１１ａ上に蓋１４の水平片ｓが載置され、図８（ｂ）に示すように、ボウル１１Ｂのフランジ１１ａ上に蓋１４の水平片ｑが載置され、図８（ｃ）に示すように、ボウル１１Ｃのフランジ１１ａ上に円板部１４ａの周辺が載置される。なお、図示しないが、ザル１２Ａ、１２Ｂのそれぞれに対しても蓋１４の水平片ｓ、ｑを載置することができる。このように一つの蓋１４をボウル１１Ａ〜１１Ｃおよびザル１２Ａ、１２Ｂの一つ一つに対し不用意に外れないように装着することができる。
【産業上の利用可能性】
【００４１】
本発明のザル付きボウルは、複数のボウルおよびザルを重ね置き可能にし、これらの重ね置き可能な各一のボウルやザルごとに個別に、および重ね置きしたボウルおよびザルの全部に共通に、一つの蓋を位置ずれなく被せることができるという効果を有し、サイズが異なるボウルおよびザルを入れ子状に組み込んだザル付きボウルユニット等に有用である。
【符号の説明】
【００４２】
Ａ  ザル付きボウルユニット
１１、１１Ａ、１１Ｂ、１１Ｃ  ボウル
１１ａ  フランジ
１１ｂ  底部
１１ｃ  糸尻部
１２、１２Ａ、１２Ｂ、１２Ｃ  ザル
１２ａ  フランジ 
１２ｂ  底部
１２ｃ  湾曲部
１２ｄ  底支持環部
１３  水切り孔
１４  蓋
ｐ  第１嵌合片
ｑ  水平片
ｒ  第２嵌合片
ｓ  水平片
【図１】
2012143410.tif 000003
【図２】
2012143410.tif 000004
【図３】
2012143410.tif 000005
【図４】
2012143410.tif 000006
【図５】
2012143410.tif 000007
【図６】
2012143410.tif 000008
【図７】
2012143410.tif 000009
【図８】
2012143410.tif 000010